(57)【要約】【課題】  引き出されたトレーをケース内に戻した際に、しっかりと、かつ、簡便に、トレーの側面をケースに接して留められる包装容器を提供する。【解決手段】  略四角筒状のケースと、当該ケースの開口から引き出し可能に収納されてケースに接する一面３１が開口した略直方体形状のトレー３０と、からなる包装容器であって、ケースの一面が開口の一方に延長する第一延長片を有し、この第一延伸片がケースの内部に折り返して当該ケースに接着され、第一延長片の一部がケース内部に凸となる第一突起を有し、トレー３０は、開口した一面３１に対向する底面３６から引き出される方向Ａに延長する第二延長片３７を有するとともに、第二延長片３７により形成される引出部４２を有し、引出部４２にケースの第一突起に係合する係合部４２１が設けられる包装容器により、上記課題を解決する。【選択図】      図４
2006347611.tif 000002
【特許請求の範囲】
【請求項１】
対向する二面に第一の開口を有する略四角筒状のケースと、当該ケースの第一の開口から引き出し可能に収納されて前記ケースに接する一面に第二の開口を有する略直方体形状のトレーと、からなる包装容器であって、
前記ケースの一面が前記第一の開口の一方に延長する第一延長片を有し、前記第一延伸片が前記ケースの内部に折り返して当該ケースに接着され、前記第一延長片の一部が前記ケース内部に凸となる第一突起を有するとともに、
前記トレーは、前記第二の開口を有する一面に対向する底面から引き出される方向に延長する第二延長片を有するとともに、前記第二延長片が引き出される方向に対して略垂直方向の折線を少なくとも四本有し、当該四本の折線がそれぞれ折られて前記第二延長片の一部が前記底面に接着されることにより引き出される方向の断面が略長方形である中空部を有するように形成される引出部を有し、
前記引出部における前記第二の開口を有する一面側の位置に前記ケースの前記第一突起に係合する係合部が設けられていることを特徴とする包装容器。
【請求項２】
前記トレーは、前記引出部を有する側面に対向する側面における前記第二の開口側の位置に、前記ケースに係る高さを有する第二突起を有することを特徴とする請求項１に記載の包装容器。
【請求項３】
前記係合部は、前記引出部における底面側から三本目の折線に接する位置に有することを特徴とする請求項１または２に記載の包装容器。
【発明の詳細な説明】
【技術分野】
【０００１】
本発明は、ケースと当該ケースに収納されるトレーとからなる包装容器に関するものである。
【背景技術】
【０００２】
菓子等を収納する容器として、略四角筒形状のケースと当該ケースに収納されるトレーとからなる紙製の包装容器が知られている。
【０００３】
このような包装容器において、使用者がケースからトレーを引き出す際に持ちやすいよう、引き出す側のトレーの側面が引き出す方向にたおれるような形状のスライドオープンパッケージが知られている（例えば、特許文献１参照）。特許文献１に記載のスライドオープンパッケージは、具体的に、トレーの底板の先端から頭板、ケースに挿嵌される折込み片、折曲片、トレーの底板内面に貼り付けられた貼着片、を順次有し、これらからなる頭部を有している。
【特許文献１】特開平７−２４２２３０号公報
【発明の開示】
【発明が解決しようとする課題】
【０００４】
上述の特許文献１に記載のようなスライドオープンパッケージは、一度トレーを引き出した後、トレーをケース内に戻すと、トレーの引き出す側の側面（頭板）がケースにぴったりと入らずに、外側に斜めに残ってしまう場合がある。このような場合に対して、特許文献１に記載のスライドオープンパッケージは、頭部のトレー内部側の面にあたる折曲片上に突起を設け、当該突起が当接するケースの上面板に切込み部を設けて、突起と切込み部が係合するようにして、頭部をケース内に留めるようになっていた。
【０００５】
しかしながら、ケースの上面板の切込み部とトレーの突起とでは、係合し難い場合があるため、トレーを一度引き出した後に、よりしっかりと、かつ、簡便に、トレーの側面をケースに接して留められる包装容器があると、利用者にとって便利である。
【０００６】
そこで、本発明の目的は、ケースと当該ケースに収納され一面が開口した略直方体形状のトレーとからなる包装容器であって、引き出されたトレーをケース内に戻した際に、しっかりと、かつ、簡便に、トレーの側面をケースに接して留められる包装容器を提供することにある。
【課題を解決するための手段】
【０００７】
上記課題を解決する本発明の包装容器は、対向する二面に第一の開口を有する略四角筒状のケースと、当該ケースの第一の開口から引き出し可能に収納されて前記ケースに接する一面に第二の開口を有する略直方体形状のトレーと、からなる包装容器であって、前記ケースの一面が前記第一の開口の一方に延長する第一延長片を有し、前記第一延伸片が前記ケースの内部に折り返して当該ケースに接着され、前記第一延長片の一部が前記ケース内部に凸となる第一突起を有するとともに、前記トレーは、前記第二の開口を有する一面に対向する底面から引き出される方向に延長する第二延長片を有するとともに、前記第二延長片が引き出される方向に対して略垂直方向の折線を少なくとも四本有し、当該四本の折線がそれぞれ折られて前記第二延長片の一部が前記底面に接着されることにより引き出される方向の断面が略長方形である中空部を有するように形成される引出部を有し、前記引出部における前記第二の開口を有する一面側の位置に前記ケースの前記第一突起に係合する係合部が設けられていることを特徴とする。
【０００８】
この発明によれば、包装容器におけるケースの第一突起とトレーの引出部における係合部とが係合するように構成されていることにより、一度引き出したトレーをケース内に戻した際に、第一突起と係合部とが係合するため、簡便に、かつ、トレーの側面がケースに接してしっかりと留められるものとなる。また、トレーが引出部を有することにより、利用者がケースからトレーを引き出しやすくなる。
【０００９】
上記本発明の包装容器において、前記トレーは、前記引出部を有する側面に対向する側面における前記第二の開口側の位置に、前記ケースに係る高さを有する第二突起を有することを特徴とする。
【００１０】
この発明によれば、トレーの第二突起がケースの一端に係るため、上述の作用に加えて、さらに、トレーが引き出される方向に動きにくくなる。そのため、ケースにトレーが収納されている場合には、包装容器がどのように動いても、トレーの引き出される方向に飛び出てしまうことが防止される。また、ケースからトレーを引き出した際に、上述のトレーの第一突起とケースの第二突起とが一度引っ掛かるため、不意にケースからトレーが外れてしまうことが防止される。
【００１１】
上記本発明の包装容器において、前記係合部は、前記引出部における底面側から三本目の折線に接する位置に有することを特徴とする。
【００１２】
この発明によれば、係合部がこのような位置にあることにより、第一突起、係合部および延長片における底面側から三本目および四本目の折線間の面（引出部における第二延長片の引き出される側の側面と対向する面）、の関係で、引出部がケース内に止まりやすいとともに、意匠性も良好となる。
【発明の効果】
【００１３】
本発明の包装容器によれば、包装容器のケースから引き出されたトレーを再度ケース内に戻した際に、しっかりと、かつ、簡便に、トレーの側面をケースに接して留められるものとなる。
【発明を実施するための最良の形態】
【００１４】
以下に、本発明の包装容器について、図面を参照して説明する。なお、本実施形態は、本発明を実施するための一形態に過ぎず、本発明は本実施形態によって限定されるものではない。
【００１５】
図１は、本発明の包装容器の一例を示す全体斜視図であり、図２（ａ）は、本発明の包装容器に設けられるケースの一例を示す斜視図であり、図２（ｂ）は、図２（ａ）のケースの一側面側から見た側面図である。図３は、図２（ａ）のケースのブランク体の一例を示す図である。図４（ａ）は、本発明の包装容器に設けられるトレーの一例を示す斜視図であり、図４（ｂ）は図４（ａ）のトレーの引き出し方向断面図であり、図５は、図４（ａ）のトレーのブランク体の一例を示す図である。
【００１６】
図１、図２（ａ）および図４（ａ）に示すように、本発明の包装容器１０は、対向する二面に第一の開口２１１、２１２を有する略四角筒状のケース２０と、当該ケース２０の第一の開口２１１、２１２から引き出し可能に収納されてケース２０に接する一面に第二の開口３１を有する略直方体形状のトレー３０と、からなる。
【００１７】
トレー３０が引き出される方向は、ケース２０における開口２１１、２１２を有するいずれかの方向（図１等中の矢印Ａ方向）であり、通常、包装容器１０における長手方向となる。なお、本明細書においては、トレー３０が引き出される方向Ａを長手方向ともいい、トレー３０が有する第二の開口３１に対向する底面３６において、長手方向に略垂直な方向を幅方向ともいう。また、本明細書において、第一の開口２１１、２１２、および、第二の開口３１を、単に開口ともいう。
【００１８】
まず、包装容器１０のケース２０について説明する。
【００１９】
図２（ａ）の斜視図および図３のブランク体２９に示すように、ケース２０の一面２２が開口２１１、２１２の一方２１１に延長する第一延長片２３を有し、この第一延伸片２３がケース２０の内部に折り返して当該ケース２０、２２に接着される。そして、図２（ｂ）の開口２１１側から見た側面図に示すように、第一延長片２３の一部がケース２０内部に凸となる第一突起２４を有するようになっている。
【００２０】
第一延長片２３は、ケース２０の一面２２の端部２６を折線としてケース２０の内部に折り返されている。
【００２１】
第一突起２４は、図３のブランク体２９において、折り返した第一延長片２３の先端をさらにケース２０の内側に折り返すように形成されているが、第一突起２４の構成は、これに限定されない。例えば、第一突起２４は、第一延長片２３の端でない位置に、コの字型等の切り込みを有し、この切り込み部分をケース２０の内側に折り返すように形成されていてもよい。また、第一突起２４は、第一延長片２３にコの字型等の切り込みのみを有し、内側に折り返さない形態としてもよく、折り返すか否かは特に限定されない。
【００２２】
第一突起２４は、図１から図３に示すように、通常、トレー３０の長手方向Ａに対して略垂直方向に設けられる。
【００２３】
また、第一突起２４の形状は、図２（ｂ）および図３に示すように、略長方形とすることができるが、この形状は特に限定されず、他の略四角形や、略三角形、円や楕円を切断した形状等、後述するトレー３０の係合部４２１に係合する種々の形状とすることができる。
【００２４】
第一突起２４は、後述するトレー３０の係合部４２１に係合する位置に設けられ、第一突起２４の大きさ等は、係合部４２１等との関係で決まるため、これらについては後述する。
【００２５】
ここで、図１に示すように、ケース２０は、通常、トレー３０が過不足なく収納される大きさとなっている。ケース２０のその他の構成は特に限定されず、使用者がトレー３０を取り出しやすいように、図１から図３に示すような切欠部２５を、第一延長片２３を有する面２２のトレー３０を引き出す開口２１１側に設けていてもよい。ケース２０に切欠部２５を設ける場合には、図３のブランク体２９に示すように、折り返した第一延長片２３にも対応する切欠部２５を設け、ケース２０の一面２２と第一延長片２３との間の折り線を中心とした開口部分が設けられることになる。
【００２６】
この切欠部２５の形状は、図１から図３に示すように略台形の形状でもよいし、他の略四角形、略三角形、円や楕円を切断したような形状でもよく、特に限定されない。また、図示しないが、ケース２０には、包装容器１０の内容物が見えるよう、一又は複数の窓を設けてもよい。この切欠部２５や窓は、意匠性等も考慮して形状が決定される。
【００２７】
ここで、図３に示すブランク体２９から図２（ａ）、図２（ｂ）に示すケース２０とするには、例えば、ブランク体２９の折線２６を折り、第一延長片２３をケース２０内に接着してから第一突起２４を形成し、他の破線２７で示す各折線を折り、ブランク体２９の一端であり接着片となる片２８１を他端２８２に接着して、形成することができる。なお、ケース２０の形成方法は、上述のものに限定されない。また、ブランク体２９の形状は、図３に示すものに限定されず、上述の第一延長片２３と第一突起２４を有する形状であれば、どのようなものであってもよい。
【００２８】
次いで、包装容器１０のトレー３０について説明する。
【００２９】
トレー３０は、図４（ａ）に示すように、第二の開口３１を有する一面に対向する底面３６とこれに略垂直に形成される各側面３２、３３、３４、３５（引き出される側の前側面３２、前側面３２に対向する後側面３３、開口３１側から前側面３２に向かって右側の右側面３４、右側面３４に対向する左側面３５）により構成される。
【００３０】
そして、トレー３０は、図４（ａ）、図４（ｂ）および図５のブランク体４０に示すように、開口３１を有する一面に対向する底面３６から引き出される方向（図１等中の矢印Ａ方向）に延長する第二延長片３７を有する。また、第二延長片３７は引き出される方向（長手方向）Ａに対して略垂直方向（幅方向）の折線３８１、３８２、３８３、３８４を少なくとも四本有する。トレー３０は、当該四本の折線３８１、３８２、３８３、３８４がそれぞれ折られて第二延長片３７の一部３７１が底面３６に接着されることにより引き出される方向Ａの断面が略長方形である中空部４１を有するように形成される引出部４２を有する。引出部４２（第二延長片３７）における開口３１を有する一面側の位置３７２には、上述したケース２０の第一突起２４に係合する係合部４２１が設けられている。
【００３１】
なお、本実施形態における係合部４２１は、開口または切欠と突起とからなる。また、延長片３７における引き出される側の面が、トレー３０の前側面３２となっている。
【００３２】
係合部４２１の位置は、第二延長片３７におけるケース２０と接する側の面３７２に設けられていれば、特に限定されないが、図４（ａ）等に示すように、係合部４２１は、引出部４２における底面３６側から三本目の折線３８３に接する位置、すなわち、ケース２０に接する面３７２における最も前側面３２から離れた位置に有することが好ましい。係合部４２１の開口または突起がこのような位置にあることにより、第一突起２４、係合部４２１および延長片３７における底面３６側から三本目および四本目の折線３８３、３８４間の面（引出部４２における第二延長片３７の前側面３２と対向する面）３７３、の関係で、引出部４２がケース２０内で止まりやすいとともに、意匠性も良好となる。
【００３３】
係合部４２１を形成するには、図５のブランク体４０に示すように、底面３６側から三本目の折線３８３上にコの字型等の切込４２２が設けられることにより、底面３６側から三本目の折線３８３を折ったときに折線３８３に接する位置が開口し、かつ、切込４２２が突起となるようにすることができる。係合部４２１の開口の形状は、図４（ａ）等に示すように、略長方形にすることができるが、特に限定されず、他の略四角形や、略三角形、円や楕円を切断した形状等とすることができる。この係合部４２１の形状は、上述の第一突起２４が係合するように、すなわち、第一突起２４が係合部４２１の開口内に入り、または、第一突起２４が係合部４２１の突起に引っ掛かるような形状とすればよく、トレー３０の幅方向に長い形状とすることが好ましい。
【００３４】
このように、本発明における係合部は、引出部４２（第二延長片３７）における開口３１を有する一面側の位置３７２に、上述したケース２０の第一突起２４に係合するように設けられていればよい。具体的に、係合部は開口または突起の少なくともいずれか一方からなり、上述の図４（ａ）、図４（ｂ）、図５に示すように開口と突起の両方からなる係合部４２１としてもよいし、図示しないが、開口のみ、または、突起のみからなる係合部としてもよい。開口のみからなる係合部を形成するには、例えば、トレー３０の材料に穴を開け、または、トレー３０の材料に切欠を形成することができ、突起のみからなる係合部を形成するには、トレー３０の材料に当該材料と一体または別体の突起を設けることができる。
【００３５】
図４（ａ）および図４（ｂ）において、トレー３０の引出部４２を使用者がつまむことにより、図４（ｂ）の矢印Ｂのように力が加わり、図４（ｂ）の破線で示すように引出部４２がつぶれて持ちやすくなり、ケース２０からトレー３０を引き出しやすくなる。引出部４２における前側面３２の大きさは、ケース２０の開口２２１の大きさと同等か、これよりも若干大きくすることが好ましい。
【００３６】
トレー３０は、図４（ａ）および図４（ｂ）に示すように、引出部４２を有する側面３２に対向する側面３３の開口３１側の位置に、ケース２０に係る高さを有する第二突起３３２を有することが好ましい。第二突起３３２は、本発明の包装容器１０において、任意に設けられる。
【００３７】
この第二突起３３２により、ケース２０にトレー３０を収納した状態で、第二突起３３２が引き出されない側のケース２０の開口２１２の端に引係ることとなる。そのため、包装容器１０をどのような向きにしたとしても、ケース２０からトレー３０が引き出される方向Ａに出てしまうことが防止される。また、ケース２０からトレー３０を引き出した際に、第二突起３３２がケース２０の第一突起２４にも引っかかることとなり、トレー３０がケース２０から外れてしまうことが防止される。なお、第二突起３３２の形状も、特に限定されず、上述の第一突起２４と同様に、種々の形状とすることができる。
【００３８】
第二突起３３２を形成するには、図５のブランク体４０に示すように、後側面３３を形成するために折線３３３を折ったときに第二突起３３２が形成されるように、コの字型等の切込３３４が設けられていてもよい。また、第二突起３３２を形成するには、後側面３３の先端を第二突起３３２を設けた形状に切断されていてもよいし、後側面３３に第二突起３３２を形成した別体のシートが貼り付けられていてもよい。
【００３９】
ここで、図５に示すブランク体４０から図４（ａ）に示すトレー３０とするには、例えば、トレー３０の辺をそれぞれ折ることにより側面３２、３３、３４、３５を立ち上げ、後側面３３については右側辺３４および左側辺３５から延びる片４８を後側面３３とその延長片３３１とで挟んで接着等により固定し、前側辺３２については延長片３７の底面３６側から三本目までの折線３８１、３８２、３８３を底面３６側が山になるように折り、底面３６側から四本目の折線３８４を底面３６側が谷になるように折り、折線３８４よりも先端側の一部３７１を底面３６の内側に接着して固定することにより、形成される。なお、トレー３０の形成方法は、上述のものに限定されない。また、ブランク体４０の形状は、図５に示すものに限定されず、上述の第二延長片３７からなり係合部４２１を有する引出部４２を形成できる形状であれば、どのようなものであってもよい。
【００４０】
次いで、ケース２０の第一突起２４、トレー３０の係合部４２１、第二突起３３２の位置や大きさ等の関係について説明する。
【００４１】
第一突起２４の幅方向の位置は、特に限定されないが、通常、第一突起２４を有する面２２の幅方向中心を含む位置に設けられる。第一突起２４の幅Ｗ１（図３参照）も、ケース２０の幅Ｗ（図１参照）よりも小さければ、特に限定されないが、係合部４２１に係合させること、および、トレー３０を引き出すときに使用者が軽い力で引き出せることを考慮すると、通常、０．５〜５０ｍｍ程度、好ましくは０．５〜１０．０ｍｍ程度とする。
【００４２】
第一突起２４の高さＨ１（図３参照）も、係合部４２１に第一突起２４が係合する範囲であれば、特に限定されず、任意の範囲で設定される。
【００４３】
ケース２０における第一突起２４から開口２１１までの長さＬ１（図３参照）と、トレー３０における係合部４２１から前側面３２までの長さＬ２（図５参照）と、は、差を略同一とすることが好ましい。
【００４４】
係合部４２１の幅方向の位置は、第一突起２４を係合できる位置であれば特に限定されないが、通常、係合部４２１を有する面３７２の幅方向中心を含む位置に設けられる。係合部４２１の幅Ｗ２（図５参照）も、第一突起２４の幅Ｗ１と同等かそれよりも大きく、第一突起２４を入れることができれば、特に限定されず、任意の範囲で設定される。
【００４５】
係合部４２１の長さＬ３（図５参照）も、係合部４２１に第一突起２４が係合する範囲であれば、特に限定されないが、ケース２０を構成するシートの材質、厚さを考慮した範囲であることが好ましい。
【００４６】
第二突起３３２の幅方向の位置は、第二突起３３２が第一突起２４に引っ掛かる位置であれば特に限定されないが、通常、幅方向中心を含む位置に設けられる。第二突起３３２の幅Ｗ３（図５参照）も、ケース２０の端面２１２および第一突起２４に第二突起３３２が引っ掛かり、係止される幅を有していれば、特に限定されず、任意の範囲で設定される。
【００４７】
第二突起３３２の後側面３３から凸となる高さＨ２（図５参照）も、ケース２０の端面２１２および第一突起２４に第二突起３３２が引っ掛かり、係止される高さを有していれば、特に限定されず、任意の範囲で設定される。
【００４８】
以上説明したケース２０やトレー３０における各折線２６、２７、３８１、３８２、３８３、３８４、４５等は、折りやすいように溝や破線状の切り込みが形成されていてもよい。
【００４９】
ここで、包装容器１０を構成するケース２０とトレー３０の材質は、特に限定されないが、強度や折り曲げ易さ等を考慮して、通常、紙やプラスチック材、その他のシート状の材料が用いられる。紙を用いる場合、通常、コートボール紙、カートン紙、カップ原紙、ダンボール紙、板紙等（再生紙を含む）、カード紙等の通常の紙器加工に用いられる材料を使用できる。紙の厚さは、特に限定されないが、強度の高い紙を用いることが好ましい。具体的に、紙の厚さは、通常、０．２〜１．０ｍｍ程度、秤量値は、通常、１００〜１０００ｇ／ｍ２程度である。また、紙を用いる場合には、紙目の方向は特に限定されないが、図３に示すようにケース２０であればその幅方向が紙目となることが好ましく、図５に示すようにトレー３０であればその長手方向が紙目となることが好ましい。また、プラスチック材を用いる場合、熱可塑性樹脂、熱硬化性樹脂、ポリエステル、ポリプロピレン、セロファン、ポリカーボネート、酢酸セルロース、ポリエチレン、ポリ塩化ビニル、ポリスチレン、ポリアミド、ポリイミド、ポリ塩化ビニリデン、ポリビニルアルコール、エチレン・酢酸ビニル共重合体けん化物、フッ素樹脂、塩化ゴム、アイオノマー、エチレン・アクリル酸共重合体、エチレン・アクリル酸エステル共重合体、等のプラスチックのフィルムや、ポリ乳酸（脂肪族ポリエステル樹脂）等の生分解性プラスチックフィルムを用いることができ、その他にもコンデンサー紙、パラフィン紙、不織布、アルミニウム箔やこれらを複合したフィルムを用いてもよい。なお、ケース２０とトレー３０は、通常、同様の材料から作製されるが、異なる材料から作製されてもよい。
【００５０】
また、ケース２０とトレー３０は、通常、それぞれ一枚のシート状材料から作製されるが、複数枚の材料から製造されてもよい。ただし、複数枚の材料を用いる場合には、包装容器１０を作製するための工程数が増えるため、一枚の材料を用いることが好ましい。
【００５１】
包装容器１０は、通常、略直方体形状であり、図１に示すように、トレー３０の引き出し方向に長い形状となっている。直方体の各辺の比は、特に限定されず、用途に合わせて適宜設定される。
【００５２】
包装容器１０の大きさも、特に限定されないが、図１に示すように、直方体の各辺を縦Ｌ、横Ｗ、高さＨ、とすると、通常、縦Ｌ：５０〜１０００ｍｍ程度、横Ｗ：５〜１０００ｍｍ程度、高さＨ：５〜３００ｍｍ程度である。また、包装容器１０が通常の菓子等の用途に用いられる場合に、その大きさは、縦Ｌ：５０〜３００ｍｍ程度、横Ｗ：１０〜１００ｍｍ程度、高さＨ：５〜１００ｍｍ程度とする。なお、この大きさがケース２０の大きさとなり、ケース２０に収納されるトレー３０は、これよりも若干小さい大きさとする。
【００５３】
包装容器１０の内容物も、特に限定されないが、通常、菓子、他の食品、雑貨、化粧品、トイレタリー等であり、複数個入る内容物が好ましく用いられる。菓子としては、スティク形状やブロック形状等の一口サイズのチョコレートやビスケット、ガム等の菓子類などが挙げられる。
【００５４】
本発明の包装容器１０は、ケース２０およびトレー３０が上述の構成となっていれば、必要に応じてその他の機能等がさらに設けられていてもよい。
【図面の簡単な説明】
【００５５】
【図１】本発明の包装容器の全体の一例を示す斜視図である。
【図２】本発明の包装容器に設けられるケースの一例を示す斜視図およびその側面図である。
【図３】図２のケースのブランク体の一例を示す図である。
【図４】本発明の包装容器に設けられるトレーの一例を示す斜視図およびその断面図である。
【図５】図４のトレーのブランク体の一例を示す図である。
【符号の説明】
【００５６】
１０  包装容器
２０  ケース
２１１、２１２  ケースの開口（第一の開口）
２２  第一延長片が設けられる面
２３  第一延長片
２４  第一突起
２５  切欠部
２９  ケースのブランク体
３０  トレー
３１  トレーの開口（第二の開口）
３２、３３、３４、３５  側面
３３２  第二突起
３６  底面
３７  第二延長片
３７１  第二延長片の底面に接着される位置
３７２  第二延長片のケースと接する側の面
３７３  第二延長片の前側面と対向する面
３８１、３８２、３８３、３８４  折線
４０  トレーのブランク体
４１  中空部
４２  引出部
４２１  係合部（開口と突起からなる）
【図１】
2006347611.tif 000003
【図２】
2006347611.tif 000004
【図３】
2006347611.tif 000005
【図４】
2006347611.tif 000006
【図５】
2006347611.tif 000007